(57)【要約】【課題】種々の画像信号に基づく適正な画像表示動作を可能とする。【解決手段】画像表示装置は、画像信号の種類により異なりうる画像表示動作の態様を定める表示態様情報を取得する表示態様取得部と、取得された前記表示態様情報を記憶する表示態様記憶部と、記憶された前記表示態様情報に定められた態様で、画像信号に基づき画像表示動作を行う表示処理部と、を備える。【選択図】図１
2009133968.tif 000002
【特許請求の範囲】
【請求項１】
画像表示装置であって、
画像信号の種類により異なりうる画像表示動作の態様を定める表示態様情報を取得する表示態様取得部と、
取得された前記表示態様情報を記憶する表示態様記憶部と、
記憶された前記表示態様情報に定められた態様で、画像信号に基づき画像表示動作を行う表示処理部と、を備える、画像表示装置。
【請求項２】
請求項１に記載の画像表示装置であって、
前記表示態様記憶部は、標準的な画像信号に対応した前記表示態様情報である標準表示態様情報を予め記憶し、
前記表示処理部は、取得された前記表示態様情報に定められた態様で画像表示動作を行うカスタムモードと、前記標準表示態様情報に定められた態様で画像表示動作を行う標準モードと、の切り替えを行うモード切り替え部を含む、画像表示装置。
【請求項３】
請求項１または請求項２に記載の画像表示装置であって、
前記表示態様取得部は、前記所定の画像信号を前記画像表示装置に供給する他の画像表示装置における画像表示動作の態様を定める情報を、前記表示態様情報として取得する、画像表示装置。
【請求項４】
請求項３に記載の画像表示装置であって、
前記表示態様記憶部は、前記表示態様情報に前記表示態様情報の取得元の前記他の画像表示装置を識別可能な識別名を対応付けて記憶する、画像表示装置。
【請求項５】
請求項３または請求項４に記載の画像表示装置であって、
前記表示態様記憶部は、複数の前記他の画像表示装置に対応した複数の前記表示態様情報を記憶可能である、画像表示装置。
【請求項６】
請求項１ないし請求項５のいずれかに記載の画像表示装置であって、
前記画像表示動作の態様は、取り込み解像度と、取り込み開始位置と、トラッキングと、の少なくとも１つを含む、画像表示装置。
【請求項７】
請求項１ないし請求項６のいずれかに記載の画像表示装置であって、
前記画像表示装置は、プロジェクタである、画像表示装置。
【請求項８】
画像表示方法であって、
（ａ）画像信号の種類により異なりうる画像表示動作の態様を定める表示態様情報を取得する工程と、
（ｂ）取得された前記表示態様情報を記憶する工程と、
（ｃ）記憶された前記表示態様情報に定められた態様で、画像信号に基づき画像表示動作を行う工程と、を備える、画像表示方法。
【発明の詳細な説明】
【技術分野】
【０００１】
本発明は、画像表示装置および画像表示方法に関する。
【背景技術】
【０００２】
プロジェクタ等の画像表示装置には、種々の画像信号が入力される。画像表示装置では、画像信号の種類に応じて適正な画像表示動作を行うために、入力された画像信号に含まれる周波数等が計測され、計測値に基づく画像信号の種類の判定が行われる。判定によって画像信号の種類が特定されると、特定された画像信号の種類に応じた態様（例えば取り込み解像度や取り込み開始位置）で画像表示動作が実行される（例えば特許文献１）。
【０００３】
【特許文献１】特開２００１−２１５９３４号公報
【発明の開示】
【発明が解決しようとする課題】
【０００４】
一般に、画像表示装置における画像信号の種類の判定は、計測値と画像信号の種類との対応を予め定めた対応テーブルに基づき行われる。他方、画像表示に用いられる画像信号の種類は変遷しうるため、対応テーブルに登録されていない新たな種類の画像信号が入力される場合もある。そのような場合には、計測値が対応テーブルに定められた値に一致せず、画像信号の種類を判定することができずに画像表示が不可能となったり、間違った種類に誤判定されて誤った画像表示が行われたりすることがあった。
【０００５】
本発明は、上述した従来の課題を解決するためになされたものであり、種々の画像信号に基づく適正な画像表示動作を可能とする技術を提供することを目的とする。
【課題を解決するための手段】
【０００６】
上記課題の少なくとも一部を解決するために、本発明は、以下の形態または適用例として実現することが可能である。
【０００７】
［適用例１］画像表示装置であって、
画像信号の種類により異なりうる画像表示動作の態様を定める表示態様情報を取得する表示態様取得部と、
取得された前記表示態様情報を記憶する表示態様記憶部と、
記憶された前記表示態様情報に定められた態様で、画像信号に基づき画像表示動作を行う表示処理部と、を備える、画像表示装置。
【０００８】
この画像表示装置では、画像信号の種類により異なりうる画像表示動作の態様を定める表示態様情報が取得・記憶され、記憶された表示態様情報に定められた態様で画像信号に基づき画像表示動作が行われるため、種々の画像信号に基づく適正な画像表示動作を行うことができる。
【０００９】
［適用例２］適用例１に記載の画像表示装置であって、
前記表示態様記憶部は、標準的な画像信号に対応した前記表示態様情報である標準表示態様情報を予め記憶し、
前記表示処理部は、取得された前記表示態様情報に定められた態様で画像表示動作を行うカスタムモードと、前記標準表示態様情報に定められた態様で画像表示動作を行う標準モードと、の切り替えを行うモード切り替え部を含む、画像表示装置。
【００１０】
この画像表示装置では、表示態様記憶部に標準表示態様情報が予め記憶され、取得された表示態様情報に定められた態様で画像表示動作を行うカスタムモードと、標準表示態様情報に定められた態様で画像表示動作を行う標準モードと、の切り替えを行うことができるため、標準的な画像信号が入力された場合には標準表示態様情報に定められた態様で適正に画像表示動作を行い、その他の画像信号が入力された場合には取得された表示態様情報に定められた態様で適正に画像表示動作を行うことができる。
【００１１】
［適用例３］適用例１または適用例２に記載の画像表示装置であって、
前記表示態様取得部は、前記所定の画像信号を前記画像表示装置に供給する他の画像表示装置における画像表示動作の態様を定める情報を、前記表示態様情報として取得する、画像表示装置。
【００１２】
この画像表示装置では、所定の画像信号を供給する他の画像表示装置における画像表示動作の態様を定める情報を用いて、画像表示装置による適正な画像表示動作を実現できる。
【００１３】
［適用例４］適用例３に記載の画像表示装置であって、
前記表示態様記憶部は、前記表示態様情報に前記表示態様情報の取得元の前記他の画像表示装置を識別可能な識別名を対応付けて記憶する、画像表示装置。
【００１４】
この画像表示装置では、用いるべき表示態様情報を容易にかつ確実に選択することができる。
【００１５】
［適用例５］適用例３または適用例４に記載の画像表示装置であって、
前記表示態様記憶部は、複数の前記他の画像表示装置に対応した複数の前記表示態様情報を記憶可能である、画像表示装置。
【００１６】
この画像表示装置では、複数の他の画像表示装置に対応した複数の表示態様情報を記憶可能であるため、複数の他の画像表示装置のいずれかにおいて適正に表示される画像信号を用いて、画像表示装置による適正な画像表示動作を実現できる。
【００１７】
［適用例６］適用例１ないし適用例５のいずれかに記載の画像表示装置であって、
前記画像表示動作の態様は、取り込み解像度と、取り込み開始位置と、トラッキングと、の少なくとも１つを含む、画像表示装置。
【００１８】
この画像表示装置では、取り込み解像度と、取り込み開始位置と、トラッキングと、の少なくとも１つを定める情報を表示態様情報として取得することができる。
【００１９】
［適用例７］適用例１ないし適用例６のいずれかに記載の画像表示装置であって、
前記画像表示装置は、プロジェクタである、画像表示装置。
【００２０】
この画像表示装置では、プロジェクタにより、種々の画像信号に基づく適正な画像表示動作を行うことができる。
【００２１】
なお、本発明は、種々の態様で実現することが可能であり、例えば、画像表示方法および装置、画像表示態様設定方法および装置、これらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２２】
次に、本発明の実施の形態を実施例に基づいて以下の順序で説明する。
Ａ．実施例：
Ｂ．変形例：
【００２３】
Ａ．実施例：
図１は、本発明の実施例におけるプロジェクタ１００の構成を概略的に示す説明図である。プロジェクタ１００は、画像信号に基づき画像を表す画像光を投写して、スクリーンＳＣなどの投写面上に画像を表示する画像表示装置である。プロジェクタ１００は、画像信号入力部１１０と、表示処理部１２０と、液晶パネル１３２と、液晶パネル駆動部１３４と、光源ユニット１４２と、光源駆動部１４４と、投写光学系１５０と、通信部１７０と、表示態様記憶部１８０と、ユーザ指示入力部１９０と、を備えている。
【００２４】
画像信号入力部１１０は、画像信号を供給するためにプロジェクタ１００にデータ通信可能に接続されたパーソナルコンピュータＰＣからコンポジット信号やＳビデオ信号、コンポーネント信号などの画像信号（映像信号）を入力し、表示処理部１２０で処理可能な信号に変換する処理（例えばＡ／Ｄ変換やＩ／Ｐ変換）を行う。また、画像信号入力部１１０は、入力された画像信号に基づき、周波数や走査線数、極性等を計測する。
【００２５】
表示処理部１２０は、画像信号入力部１１０から画像信号を受領して、液晶パネル駆動部１３４で処理可能な信号に変換する処理を行い、液晶パネル駆動部１３４へと出力する。また、表示処理部１２０は、必要により、画像の調整（例えば輝度調整、コントラスト調整、シャープネス調整）を行う。また、表示処理部１２０は、液晶パネル駆動部１３４や光源駆動部１４４を制御して、画像信号の種類により異なりうる態様で画像表示動作を行う。
【００２６】
表示処理部１２０は、画像表示動作の態様を設定する表示態様設定部１２２を含んでいる。表示態様設定部１２２は、信号種類判定部１２４と、モード切り替え部１２６と、を含んでいる。これら各部の機能は、後述の画像表示処理の説明において詳述する。
【００２７】
液晶パネル駆動部１３４は、表示処理部１２０から入力された画像信号に基づいて、液晶パネル１３２を駆動する。液晶パネル１３２は、光源駆動部１４４により駆動される光源ユニット１４２から照射された照明光を画像を表す画像光へと変調するための画像をパネル面に形成する。投写光学系１５０は、液晶パネル１３２によって画像光へと変調された光をスクリーンＳＣに向けて投写する。
【００２８】
ユーザ指示入力部１９０は、リモコンＲＣを通じたユーザからの指示を入力し、表示処理部１２０等にその指示を伝える。なお、ユーザ指示入力部１９０は、リモコンＲＣ以外の他のユーザ指示手段（例えば操作パネル）を通じてユーザからの指示を入力するとしてもよい。
【００２９】
表示態様記憶部１８０は、プロジェクタ１００による画像表示動作の態様を定める表示態様情報を記憶する記憶領域である。表示態様記憶部１８０には、標準表示態様情報ＳＩと取得表示態様情報ＡＩとが記憶される。標準表示態様情報ＳＩは、標準的な画像信号に対応した画像表示動作の態様を定める表示態様情報であり、予め表示態様記憶部１８０に格納されている。また、取得表示態様情報ＡＩは、後述する表示態様取得部１７２によって外部から取得される表示態様情報である。
【００３０】
図２は、標準表示態様情報ＳＩの内容の一例を示す説明図である。図２に示すように、標準表示態様情報ＳＩには、標準的な画像信号の種類毎に、画像表示動作の態様（例えば取り込み解像度、取り込み開始位置、トラッキング）が定められている。本明細書では、標準表示態様情報ＳＩに登録された画像信号の種類を「標準種類」とも呼ぶ。取得表示態様情報ＡＩの内容も、図２に示した標準表示態様情報ＳＩの内容と同様である。
【００３１】
通信部１７０は、ＵＳＢメモリＵＭとの間で通信を行うインタフェースである。通信部１７０は、表示態様取得部１７２を含んでいる。表示態様取得部１７２は、ＵＳＢメモリＵＭに格納された表示態様情報を取得し、取得表示態様情報ＡＩとして表示態様記憶部１８０に格納する。なお、通信部１７０は、ＵＳＢメモリＵＭに格納された画像データを取得し、画像信号として画像信号入力部１１０に出力することも可能である。
【００３２】
なお、プロジェクタ１００の各構成要素の機能は、プロジェクタ１００の有するＣＰＵ（図示せず）が所定のコンピュータプログラムを実行することにより実現される。あるいは、各構成要素は、専用のデバイスや回路等のハードウェアにより構成されるとしてもよい。
【００３３】
図３は、プロジェクタ１００による画像表示処理の流れを示すフローチャートである。本実施例の画像表示処理は、パーソナルコンピュータＰＣからプロジェクタ１００に入力された画像信号に基づいて、スクリーンＳＣ上に画像を表示する処理である。ステップＳ１１０では、画像信号入力部１１０（図１）が、パーソナルコンピュータＰＣから出力された画像信号を入力する。画像信号入力部１１０は、上述したように、入力された画像信号に基づき、周波数や走査線数、極性等を計測する。画像信号入力部１１０は、画像信号と各計測項目の値（計測値）を表示処理部１２０に出力する。
【００３４】
ステップＳ１２０（図３）では、表示処理部１２０の信号種類判定部１２４（図１）が、計測値に基づき画像信号の種類を判定する。具体的には、信号種類判定部１２４は、画像信号の標準種類と計測値との対応を定めた対応テーブル（図示せず）を保有しており、入力された計測値に対応した信号種類を対応テーブル上において検索する。入力計測値に対応した信号種類が対応テーブルから検出され、入力画像信号が標準種類の１つであると判定された場合には（ステップＳ１３０：Ｙｅｓ）、表示態様設定部１２２（図１）が、標準表示態様情報ＳＩを参照して、信号種類に対応付けられた表示動作の態様を、使用する態様として設定する。また、表示処理部１２０は、液晶パネル駆動部１３４や光源駆動部１４４を制御して、設定された態様で画像表示動作を行う（ステップＳ１４０）。
【００３５】
一方、入力計測値に対応した信号種類が対応テーブルから検出されず、入力画像信号が標準種類ではないと判定された場合には（ステップＳ１３０：Ｎｏ）、入力画像信号に基づき適正に画像を表示するための表示動作態様が設定できない。このとき表示処理部１２０は、入力画像信号がプロジェクタ１００に対応していない旨をスクリーンＳＣに表示する（ステップＳ１５０）。この表示により、ユーザは、プロジェクタ１００に入力した画像信号が、プロジェクタ１００に標準的にサポートされている信号ではないことがわかる。
【００３６】
ここで、本実施例のプロジェクタ１００は、通常モードとカスタムモードとの２つの表示モードを有している。通常モードは、上述したように、信号種類の判定結果に応じて、予め表示態様記憶部１８０に記憶された標準表示態様情報ＳＩに定められた標準的な画像信号に対応した態様で画像表示動作を行うモードである。一方、カスタムモードは、表示態様取得部１７２により取得され表示態様記憶部１８０に格納された取得表示態様情報ＡＩに定められた態様で画像表示動作を行うモードである。２つの表示モードの切り替えは、モード切り替え部１２６により実行される。
【００３７】
ユーザによるリモコンＲＣを介した所定の指示に応じて、表示処理部１２０（図１）は、表示モードを選択するための画面をオンスクリーンディスプレイ（以下「ＯＳＤ」とも呼ぶ）としてスクリーンＳＣに表示する。図４は、表示モード選択画面の一例を示す説明図である。プロジェクタ１００は、初期化時には、表示モードとして通常モードが設定されている。ユーザは、表示モード選択画面においてカスタムモードを選択することにより、カスタムモードへの切り替え指示を行うことができる。
【００３８】
ユーザによるカスタムモードへの切り替え指示があった場合には（ステップＳ１６０：Ｙｅｓ）、表示処理部１２０（図１）が、登録済みの表示態様情報を使用するか表示態様情報を新規登録するかを選択するための画面をＯＳＤとしてスクリーンＳＣに表示する。図５は、登録済みの表示態様情報を使用するか表示態様情報を新規登録するかを選択する画面の一例を示す説明図である。図５に示す画面には、既に登録された表示態様情報を用いるか、新たに表示態様情報を登録するか、の２つの選択肢が含まれる。プロジェクタ１００に接続されたパーソナルコンピュータＰＣに対応した表示態様情報が未だ登録されていない場合には、新規登録が選択される。
【００３９】
新規登録が選択された場合には（ステップＳ１７０：Ｎｏ）、表示態様情報の取得処理が実行される（ステップＳ１８０）。図６は、表示態様情報取得処理の流れを示すフローチャートである。ステップＳ１８２では、ＵＳＢメモリＵＭがプロジェクタ１００に接続され、ＵＳＢメモリＵＭと通信部１７０（図１）との間の通信路が確立される。ここで、ＵＳＢメモリＵＭには、パーソナルコンピュータＰＣにおける画像表示動作の態様を定める表示態様情報が格納されている。図５に示した画面において新規登録が選択された場合には、このようなＵＳＢメモリＵＭへの表示態様情報の格納と、ＵＳＢメモリＵＭのプロジェクタ１００への接続とをユーザに促すための画面をスクリーンＳＣに表示するとしてもよい。
【００４０】
プロジェクタ１００にＵＳＢメモリＵＭが接続されると、表示態様取得部１７２（図１）は、ＵＳＢメモリＵＭに格納されたパーソナルコンピュータＰＣに対応した表示態様情報を取得し（ステップＳ１８４）、取得表示態様情報ＡＩとして表示態様記憶部１８０に格納する（ステップＳ１８６）。このとき、表示態様取得部１７２は、表示態様情報の記憶場所を選択するための画面の表示を表示処理部１２０に指示する。図７は、表示態様情報の記憶場所を選択するための画面の一例を示す説明図である。図７に示す画面において、ユーザが選択したボタン（図７の「登録１」ボタン）に対応付けられた表示態様記憶部１８０の記憶場所に、表示態様情報が格納される。また、ユーザは、図７に示す画面において、ボタンの名前をパーソナルコンピュータＰＣを識別可能な識別名に変更（例えば「登録１」を「コンピュータＡ」と変更）する指示を行うことができる。このような指示が行われると、表示態様記憶部１８０は、取得表示態様情報ＡＩを、当該識別名と対応付けて記憶する（ステップＳ１８８）。これにより、記憶された取得表示態様情報ＡＩが、どのパーソナルコンピュータＰＣに対応した表示態様情報であるかが明確になる。なお、表示態様記憶部１８０は、複数のパーソナルコンピュータＰＣに対応した複数の取得表示態様情報ＡＩを記憶可能である。
【００４１】
その後、表示態様設定部１２２（図１）は、取得された取得表示態様情報ＡＩに定められた表示動作の態様を、使用する態様として設定する。また、表示処理部１２０は、液晶パネル駆動部１３４や光源駆動部１４４を制御して、設定された態様で画像表示動作を行う（ステップＳ１９０）。
【００４２】
一方、登録済みの表示態様情報の使用が選択された場合（ステップＳ１７０：Ｙｅｓ）には、表示処理部１２０が、使用する取得表示態様情報ＡＩを選択する画面を表示する。図８は、使用する取得表示態様情報ＡＩを選択する画面の一例を示す説明図である。図８に示すように、取得表示態様情報ＡＩの選択は、パーソナルコンピュータＰＣの識別名を選択することにより行われる。すなわち、パーソナルコンピュータＰＣの識別名が選択されると、選択されたパーソナルコンピュータＰＣ対応付けられた取得表示態様情報ＡＩに定められた画像表示動作の態様が、使用する態様として設定される。その後、表示処理部１２０は、液晶パネル駆動部１３４や光源駆動部１４４を制御して、設定された態様で画像表示動作を行う（ステップＳ１９０）。
【００４３】
以上説明したように、本実施例のプロジェクタ１００では、表示態様情報を外部から取得して取得表示態様情報ＡＩとして記憶し、取得表示態様情報ＡＩに定められた態様で画像信号に基づく画像表示動作を行うことができるため、種々の画像信号に基づく適正な画像表示動作を行うことができる。例えば画像信号をプロジェクタ１００に供給するためにプロジェクタ１００にデータ通信可能に接続されたパーソナルコンピュータＰＣにおける画像表示動作の態様を定める情報を、取得表示態様情報ＡＩとして取得することにより、パーソナルコンピュータＰＣにおいて適正に表示される画像信号を用いて、プロジェクタ１００による適正な画像表示動作を実現できる。
【００４４】
また、本実施例のプロジェクタ１００では、表示態様記憶部１８０に標準的な画像信号に対応した標準表示態様情報ＳＩが予め記憶され、画像表示動作を取得表示態様情報ＡＩに定められた態様で行うか標準表示態様情報ＳＩに定められた態様で行うかを切り替えるモード切り替えを行うことができる。そのため、入力された画像信号の種類が標準種類である場合には、標準表示態様情報ＳＩに定められた態様で画像表示動作を行い、入力された画像信号の種類が標準種類ではない場合には、取得表示態様情報ＡＩに定められた態様で画像表示動作を行うことができる。
【００４５】
また、本実施例のプロジェクタ１００では、表示態様記憶部１８０が、パーソナルコンピュータＰＣを識別可能な識別名を取得表示態様情報ＡＩに対応付けて記憶することが可能であるため、プロジェクタ１００による適正な画像表示動作を実現するために用いる取得表示態様情報ＡＩを容易に選択することができる。また、本実施例のプロジェクタ１００では、表示態様記憶部１８０に、複数のパーソナルコンピュータＰＣに対応した複数の取得表示態様情報ＡＩを記憶可能であるため、容易にかつ確実に、プロジェクタ１００による適正な画像表示動作を実現できる。
【００４６】
Ｂ．変形例：
なお、この発明は上記の実施例や実施形態に限られるものではなく、その要旨を逸脱しない範囲において種々の態様において実施することが可能であり、例えば次のような変形も可能である。
【００４７】
Ｂ１．変形例１：
本発明は、液晶パネル１３２を用いたプロジェクタ１００に限らず、他の画像表示デバイス（例えばＤＭＤ、ＤＭＤはテキサス・インスツルメンツ社の商標）を用いたプロジェクタにも適用可能である。さらに、本発明は、プロジェクタ以外の画像表示装置（例えば液晶ディスプレイや、プラズマディスプレイ、ＣＲＴディスプレイ、ＳＥＤ）にも適用可能である。
【００４８】
また、プロジェクタ１００への画像信号の入力元は、パーソナルコンピュータＰＣに限らず、他の画像表示装置であってもよい。画像信号の入力元が、パーソナルコンピュータＰＣ以外の他の画像表示装置である場合にも、当該他の画像表示装置における画像表示動作の態様を定める情報を、取得表示態様情報ＡＩとして取得することにより、プロジェクタ１００による適正な画像表示動作を実現できる。
【００４９】
また、パーソナルコンピュータＰＣからの表示態様情報の取得は、ＵＳＢメモリＵＭを使用する方法に限らず、例えばＰＣカードを用いた方法やネットワーク通信を用いた方法等の他の方法を用いて実現することも可能である。
【００５０】
Ｂ２．変形例２：
上記実施例における表示態様情報に含まれる項目（図２参照）は、あくまで一例であり、図２に示した表示態様情報の項目以外の他の項目が表示態様情報に含まれてもよいし、図２に示した表示態様情報の項目の内の一部の項目が表示態様情報に含まれないとしてもよい。また、上記各実施例における画面の内容（図４，５，７，８）は、あくまで一例であり、種々変形可能である。
【００５１】
Ｂ３．変形例３：
上記実施例における画像表示処理（図３参照）の処理の流れは、あくまで一例であり、種々変形可能である。例えば、ユーザが、プロジェクタ１００への入力画像信号の種類が標準種類でないことを予め知っている場合には、はじめからカスタムモードへの切り替えが行われるとしてもよい。
【００５２】
Ｂ４．変形例４：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００５３】
【図１】本発明の実施例におけるプロジェクタ１００の構成を概略的に示す説明図である。
【図２】標準表示態様情報ＳＩの内容の一例を示す説明図である。
【図３】プロジェクタ１００による画像表示処理の流れを示すフローチャートである。
【図４】表示モード選択画面の一例を示す説明図である。
【図５】登録済みの表示態様情報を使用するか表示態様情報を新規登録するかを選択する画面の一例を示す説明図である。
【図６】表示態様情報取得処理の流れを示すフローチャートである。
【図７】表示態様情報の記憶場所を選択するための画面の一例を示す説明図である。
【図８】使用する取得表示態様情報ＡＩを選択する画面の一例を示す説明図である。
【符号の説明】
【００５４】
１００…プロジェクタ
１１０…画像信号入力部
１２０…表示処理部
１２２…表示態様設定部
１２４…信号種類判定部
１２６…モード切り替え部
１３２…液晶パネル
１３４…液晶パネル駆動部
１４２…光源ユニット
１４４…光源駆動部
１５０…投写光学系
１７０…通信部
１７２…表示態様取得部
１８０…表示態様記憶部
１９０…ユーザ指示入力部
【図１】
2009133968.tif 000003
【図２】
2009133968.tif 000004
【図３】
2009133968.tif 000005
【図４】
2009133968.tif 000006
【図５】
2009133968.tif 000007
【図６】
2009133968.tif 000008
【図７】
2009133968.tif 000009
【図８】
2009133968.tif 000010